(57)【要約】【課題】  メインディスプレイで表示しているコンテンツに対して、所定の操作を加えた場合、操作を加えられたコンテンツの内容をサブディスプレイに自動的に反映する。【解決手段】  描画データを出力するホストコンピュータ２と、画像表示装置３とが通信可能に接続された画像表示システム１において、ホストコンピュータ２は、描画可能なコンテンツの表示や保存に係る所定の操作に伴って、前記コンテンツの描画データを生成すると共に、当該描画データを画像表示装置３に出力し、前記画像表示装置３は、入力した前記描画データが示す画像を表示する。【選択図】      図３
2006234874.tif 000002
【特許請求の範囲】
【請求項１】
描画データを出力する描画データ出力装置と、画像を表示する画像表示装置とが通信可能に接続された画像表示システムであって、
描画データ出力装置は、描画可能なコンテンツの表示や保存に係る所定の操作に伴って、
前記コンテンツの描画データを生成すると共に、当該描画データを画像表示装置に出力し、
前記画像表示装置は、入力した前記描画データが示す画像を表示することを特徴とする画像表示システム。
【請求項２】
描画データを出力する描画データ出力装置と、画像を表示する画像表示装置とが通信可能に接続された画像表示システムであって、
描画データ出力装置は、
描画可能なコンテンツに対する操作を検出する検出手段と、
前記操作は、前記コンテンツの表示や保存を含む所定の操作か、否かを判定する判定手段と、
前記所定の操作を受けて、前記コンテンツの描画データを生成する描画データ生成手段と、
前記描画データを送信する送信手段とを有し、
画像表示装置は、
前記描画データを受信する受信手段と、
前記描画データが示す描画イメージを生成する描画イメージ生成手段と、
前記描画イメージを表示する表示手段とを有する、ことを特徴とする画像表示システム。
【請求項３】
請求項２に記載の画像表示システムにおいて、
前記描画データは、複数のページで構成される画像を示すことを特徴とする画像表示システム。
【請求項４】
請求項２乃至３に記載の画像表示システムにおいて、
前記描画データ生成手段は、生成する前記描画データの容量を制限することを特徴とする画像表示システム。
【請求項５】
請求項２乃至４のいずれか一項に記載の画像表示システムにおいて、
前記描画データ生成手段は、前記コンテンツの属性に応じて、前記コンテンツに対する操作を検出するか、否かを規定することを特徴とする画像表示システム。
【請求項６】
請求項２乃至５のいずれか一項に記載の画像表示システムにおいて、
前記描画データは、印刷ジョブデータであると共に、
前記描画イメージは、印刷イメージであることを特徴とする画像表示システム。
【請求項７】
請求項２乃至６のいずれか一項に記載の画像表示システムにおいて、
前記所定の操作には、前記コンテンツの内容を修正する操作を含むことを特徴とする画像表示システム。
【請求項８】
請求項２乃至７のいずれか一項に記載の画像表示システムにおいて、
前記画像表示装置は、前記描画イメージを記憶する記憶手段を更に有することを特徴とする画像表示システム。
【請求項９】
請求項８に記載の画像表示システムにおいて、
前記記憶手段は、所定の容量を越えて前記描画イメージを記憶する場合は、前記記憶手段に生成された時間的に古い前記描画イメージから順次削除することを特徴とする画像表示システム。
【請求項１０】
請求項８乃至９に記載の画像表示システムにおいて、
前記画像表示装置は、前記描画イメージを前記記憶手段に記憶したか、否かを示す記憶表示部を更に備えることを特徴とする画像表示システム。
【請求項１１】
請求項２乃至１０のいずれか一項に記載の画像表示システムにおいて、
前記表示手段は、電力非供給時に表示内容を保持する記憶性を有することを特徴とする画像表示システム。
【請求項１２】
画像を表示する画像表示装置に描画データを出力する描画データ出力装置であって、
描画可能なコンテンツに対する操作を検出する検出手段と、
前記操作は、前記コンテンツの表示や保存を含む所定の操作か、否かを判定する判定手段と、
前記所定の操作を受けて、前記コンテンツの描画データを生成する描画データ生成手段と、
前記描画データを出力する出力手段とを有することを特徴とする描画データ出力装置。
【請求項１３】
描画可能なコンテンツに対する操作を検出する操作検出機能と、
前記操作は、前記コンテンツの表示や保存を含む所定の操作か、否かを判定する操作判定機能と、
前記所定の操作を受けて、前記コンテンツの描画データを生成する描画データ生成機能と、
前記生成した描画データを出力する出力機能とをコンピュータに実現させることを特徴とする描画データ出力プログラム。
【発明の詳細な説明】
【技術分野】
【０００１】
本発明は、画像表示システム、描画データ出力装置、および、描画データ出力プログラムに関する。
【背景技術】
【０００２】
従来、パーソナルコンピュータ等の情報端末におけるディスプレイの表示能力の不足を補う方法として、下記特許文献１のように、記憶性を持たないメインディスプレイと、記憶性を持ち、かつメインディスプレイに比べ大きな表示画面を持つサブディスプレイの組み合わせからなる情報表示システムが提案されている。書き換えを必要とする情報はメインディスプレイに表示し、書き換えが不要となった参照データをサブディスプレイに表示する構成を取ることで、サブディスプレイに表示したコンテンツの画面を参照しつつ、メインディスプレイで新規のコンテンツを作成できることから、コンテンツ作成時における使用者の利便性を向上させていた。
【０００３】
【特許文献１】特開２０００−２８４２５３号公報
【発明の開示】
【発明が解決しようとする課題】
【０００４】
しかしながら、特許文献１に示された情報表示システムは、メインディスプレイに表示されたウィンドウ内に表示されている画像のみを、ユーザーの操作によりサブディスプレイに転送する形式であるため、サブディスプレイ上で表示するコンテンツの領域を変更したい場合は、サブディスプレイ上で表示したいコンテンツの領域と同一の領域をメインディスプレイに表示させ、その領域の画像をサブディスプレイに転送する操作が、都度必要であった。
また、この情報表示システムでは、メインディスプレイに表示された複数のウィンドウの中から、非アクティブなウィンドウを自動的にサブディスプレイに転送していたが、この転送を実行するか、否かは、アクティブなウィンドウと非アクティブなウィンドウとの表示領域の重複で判断していた。従って、使用者が作成するコンテンツのウィンドウをメインディスプレイに表示すると共に、参照するコンテンツのウィンドウをサブディスプレイに表示するには、両者のウィンドウの表示領域を重複させ、前者のウィンドウを常にアクティブにすると共に、後者のウィンドウを常に非アクティブにする必要があり、ウィンドウの扱いが面倒であった。
【課題を解決するための手段】
【０００５】
上記した課題を解決するために、本発明の画像表示システムは、描画データを出力する描画データ出力装置と、画像を表示する画像表示装置とが通信可能に接続された画像表示システムであって、描画データ出力装置は、描画可能なコンテンツの表示や保存に係る所定の操作に伴って、前記コンテンツの描画データを生成すると共に、当該描画データを画像表示装置に出力し、前記画像表示装置は、入力した前記描画データが示す画像を表示することを特徴とする。
この発明によれば、コンテンツの表示や保存に係る所定の操作がコンテンツに対して施されたことを受けて、描画データ出力装置で生成された描画データは、画像表示装置に出力され、この描画データが示す画像は、画像表示装置で表示される。従って、画像表示システムの使用者は、描画データ出力装置側でコンテンツの表示や保存に係る所定の操作を行うだけで、操作されたコンテンツの描画イメージを画像表示装置に容易に表示させることができる。
【０００６】
上記した課題を解決するために、本発明の画像表示システムは、描画データを出力する描画データ出力装置と、画像を表示する画像表示装置とが通信可能に接続された画像表示システムであって、描画データ出力装置は、描画可能なコンテンツに対する操作を検出する検出手段と、前記操作は、前記コンテンツの表示や保存を含む所定の操作か、否かを判定する判定手段と、前記所定の操作を受けて、前記コンテンツの描画データを生成する描画データ生成手段と、前記描画データを送信する送信手段とを有し、画像表示装置は、前記描画データを受信する受信手段と、前記描画データが示す描画イメージを生成する描画イメージ生成手段と、前記描画イメージを表示する表示手段とを有する、ことを特徴とする。
この発明によれば、コンテンツに対する操作を検出する検出手段と、コンテンツに対する所定の操作を判定する判定手段とにより、描画データ出力装置側でコンテンツの表示や保存を含む所定の操作を施された場合に限り、画像表示装置で表示するコンテンツの描画データが描画データ生成手段で生成される。従って、画像表示装置で表示すべきコンテンツの描画データは、描画データ出力装置側で使用者による面倒な操作を経て生成される事無く、自動的に生成され、画像表示装置に送信される。
【０００７】
本発明では、前記描画データは、複数のページで構成される画像を示すことが好ましい。
この発明によれば、複数のページで構成される描画データを画像表示装置に送ると共に、画像表示装置は、この描画データが示す複数のページの画像を表示できる。
【０００８】
本発明では、前記描画データ生成手段は、生成する前記描画データの容量を制限することが好ましい。
この発明によれば、生成する描画データの容量を制限できるため、画像表示装置で処理可能なデータ量を越えたデータの送信を未然に防げる。
【０００９】
本発明では、前記描画データ生成手段は、前記コンテンツの属性に応じて、前記コンテンツに対する操作を検出するか、否かを規定することが好ましい。
この発明によれば、画像表示システムで表示するコンテンツを、属性に応じて選択できる。
【００１０】
本発明では、前記描画データは、印刷ジョブデータであると共に、前記描画イメージは、印刷イメージであっても良い。
【００１１】
本発明の前記所定の操作には、前記コンテンツの内容を修正する操作を含むことが好ましい。
この発明によれば、描画データ出力装置でコンテンツの内容が修正された場合も、修正されたコンテンツから描画データが生成され、画像表示装置は修正されたコンテンツの画像を表示できる。
【００１２】
本発明では、前記画像表示装置は、前記描画イメージを記憶する記憶手段を更に有することが好ましい。
また、本発明では、前記記憶手段は、所定の容量を越えて前記描画イメージを記憶する場合は、前記記憶手段に生成された時間的に古い前記描画イメージから順次削除することが好ましい。
上記発明によれば、画像表示装置の記憶手段で記憶可能な容量を効率的に使える。
【００１３】
本発明では、前記画像表示装置は、前記描画イメージを前記記憶手段に記憶したか、否かを示す記憶表示部を更に備えることが好ましい。
この発明によれば、描画イメージを記憶手段に記憶する前に削除することを回避できる。
【００１４】
本発明では、前記表示手段は、電力非供給時に表示内容を保持する記憶性を有することが好ましい。
この発明によれば、画像表示装置の表示手段は、電力を消費することなく表示内容を保持できるため、画像表示装置の消費電力を押さえることができる。
【００１５】
上記した課題を解決するために、本発明の描画データ出力装置は、画像を表示する画像表示装置に描画データを出力する描画データ出力装置であって、描画可能なコンテンツに対する操作を検出する検出手段と、前記操作は、前記コンテンツを表示する操作、または、前記コンテンツを保存する操作の何れかを少なくとも含む所定の操作か、否かを判定する判定手段と、前記所定の操作を受けて、前記コンテンツの描画データを生成する描画データ生成手段と、前記描画データを出力する出力手段とを有することを特徴とする。
上記構成によれば、コンテンツに対する操作を検出する検出手段と、コンテンツに対する所定の操作を判定する判定手段とにより、描画データ出力装置側でコンテンツの表示や保存を含む所定の操作を施された場合に限り、画像表示装置で表示するコンテンツの描画データが描画データ生成手段で生成される。従って、画像表示装置で表示すべきコンテンツの描画データは、描画データ出力装置側で使用者による面倒な操作を経て生成される事無く、自動的に生成されて、出力される。
【００１６】
また、本発明は描画データ出力プログラムとして捉えることもできる。即ち、描画可能なコンテンツに対する操作を検出する操作検出機能と、前記操作は、前記コンテンツを表示する操作、または、前記コンテンツを保存する操作の何れかを少なくとも含む所定の操作か、否かを判定する操作判定機能と、前記所定の操作を受けて、前記コンテンツの描画データを生成する描画データ生成機能と、前記生成した描画データを出力する出力機能とをコンピュータに実現させることを要旨とする。
【発明を実施するための最良の形態】
【００１７】
以下、本発明の実施形態を図面に基いて説明する。
（実施形態）
【００１８】
図１は、本実施形態に係る画像表示システム１の外観を示す外観構成図である。この画像表示システム１は、描画データ出力装置であるホストコンピュータ２と、画像表示装置３とを備えて構成され、ホストコンピュータ２と画像表示装置３は、ＵＳＢケーブル８０を介して接続されている。この画像表示システム１は、ホストコンピュータ２で生成した画像を画像表示装置３で表示するシステムであり、このシステムでは、プリンタドライバと略同一の機能を有するドライバで印刷処理を行い、印刷結果を電子ファイルとして出力する「仮想プリンタ」方式を採用している。
ホストコンピュータ２は、本体部７５、ディスプレイ２５、キーボード６０等を具備する。また、本体部７５の背面には、ＵＳＢ（Universal Serial Bus）接続のためのＵＳＢ端子６６（図２）を有する。画像表示装置３は、表示記憶性を有する記憶性表示体１１５と、この画像表示装置３を操作する方向キー等の入力キー１４５と、ＬＥＤ１６０とを表面上に具備する。尚、入力キー１４５は、記憶性表示体１１５の下部に配置され、記憶性表示体１１５の画面上のカーソル位置を指示する方向キー１４５Ａと、ＬＥＤ１６０の近傍に配置され、記憶性表示体１１５で表示しているコンテンツの保存を指示する保存確定ボタン１４５Ｂとを備える。また、この画像表示装置３の上部の側面には、ＵＳＢ接続のためのＵＳＢ端子１２２を有する。
【００１９】
＜画像表示システムのハードウェア構成＞
次に、画像表示システム１のハードウェア構成について説明する。図２は、画像表示システム１のハードウェア構成を示す構成図であり、先ず、ホストコンピュータ２のハードウェア構成について説明する。このホストコンピュータ２は、ＣＰＵ１０、ＲＡＭ１５、ＲＯＭ３０、ハードディスクコントローラ３５、ディスプレイコントローラ２０、マウスコントローラ４５、キーボードコントローラ５５およびＵＳＢコントローラ６５を備えて構成される。加えて、これらの各部は、バス７０により、互いの信号が授受可能に接続されている。
ＣＰＵ１０は、ＲＯＭ３０に格納された基本制御プログラムや、ＲＯＭ３０およびＨＤＤ４０に格納されたアプリケーションプログラムなどの各種プログラム及びデータを読み込み、それら各種プログラム及びデータをＲＡＭ１５内に設けられるメインメモリ領域に展開して実行し、ホストコンピュータ２が備える各部の制御を実行する。
ハードディスクコントローラ３５は、ＨＤＤ４０を駆動する。マウスコントローラ４５は、マウス５０から入力された情報を入力する。キーボードコントローラ５５は、キーボード６０から入力された情報を入力する。ＵＳＢコントローラ６５は、ＵＳＢ端子６６を介して、ＵＳＢ規格で情報の伝達を行う。更に、ディスプレイコントローラ２０は、液晶ディスプレイのような表示記憶性を有しないディスプレイ２５を駆動する。
【００２０】
次に、画像表示装置３について説明する。この画像表示装置３は、ＣＰＵ（Central  Processing  Unit）１００、ＲＡＭ（Random  Access  Memory）１０５、ＲＯＭ（Read  Only  Memory）１２５、カードＩ／Ｆ（Inter  Face）１３０、入力Ｉ／Ｆ１４０、出力Ｉ／Ｆ１５５、ディスプレイコントローラ１１０およびＵＳＢコントローラ１２０を備えて構成される。これらの各部は、バス１５０により、互いの信号が授受可能に接続されている。
ＣＰＵ１００は、ＲＯＭ１２５に格納された基本制御プログラムや、ＲＯＭ１２５およびカードＩ／Ｆ１３０に接続されたメディアカード１３５に格納されたアプリケーションプログラムなどの各種プログラム及びデータを読み込み、それら各種プログラム及びデータをＲＡＭ１０５内に設けられるメインメモリ領域に展開して実行し、画像表示装置３が備える各部の制御を実行する。ここで、メディアカード１３５としては、フラッシュメモリカードやハードディスクカード等のメモリカードを採用できる。
また、入力Ｉ／Ｆ１４０は、入力キー１４５から入力された情報を入力する。出力Ｉ／Ｆ１５５は、ＬＥＤ１６０を必要に応じて点灯させる。ＵＳＢコントローラ１２０は、ＵＳＢ端子１２２を介して、ＵＳＢ規格で情報の伝達を行う。更に、ディスプレイコントローラ１１０は、記憶性表示体１１５を駆動する。
【００２１】
＜画像表示システムの機能構成＞
次に、画像表示システム１の機能構成について説明する。図３は、画像表示システム１の機能構成を示す図である。最初にホストコンピュータ２の機能構成を説明する。
ホストコンピュータ２は、制御手段２００と、コンテンツ作成手段２２０と、外部記憶手段２０５と、操作入力手段２１０と、表示手段２１５と、画像出力判定手段２３０と、画像生成手段２４５と、送信手段２２５とを備える。
制御手段２００は、例えば、Ｍｉｃｒｏｓｏｆｔ社製のＷｉｎｄｏｗｓ（登録商標）のようなＯＳ（Operating System）であり、このホストコンピュータ２の基本動作を制御する。即ち、この制御手段２００は、ファイルの管理、メモリの管理、入出力の管理、ユーザーインターフェースの提供などを行なう基本ソフトウェアを提供すると共に、アプリケーションソフトや種々のデバイスのドライバの動作を管理する。また、この制御手段２００は、管理している各ソフトウェアから、制御手段２００に対する要求を示すメッセージを受信すると共に、各ソフトウェアに対して動作を指示するメッセージを送信するイベント駆動形式を採用している。
コンテンツ作成手段２２０は、例えば、Ｍｉｃｒｏｓｏｆｔ社製のＷｏｒｄやＥｘｃｅｌのように、使用者が必要に応じて起動し、コンテンツを作成するアプリケーションソフトである。また、コンテンツ作成手段２２０は、作成したコンテンツをファイル形式で外部記憶手段２０５に記憶する。更に、コンテンツ作成手段２２０は、記憶されたコンテンツのファイルを開いて、コンテンツ内容を修正し、外部記憶手段２０５に上書き、または、ファイルの名前を変えて保存できる。
外部記憶手段２０５は、本実施形態ではハードディスク４０が該当し、コンテンツ作成手段２２０が作成したコンテンツのデータや、ホストコンピュータ２にインストールした種々のソフトウェアを記憶して、制御手段２００からの指示に従い、他の機能部との間でデータの授受を行う。
【００２２】
操作入力手段２１０は、本実施形態ではキーボード６０やマウス５０が該当し、ホストコンピュータ２の使用者が、これらを操作して生成する種々の指示を制御手段２００に伝える。
表示手段２１５は、本実施形態ではディスプレイ２５が該当し、制御手段２００からの指示に従い、画像を表示する。
画像出力判定手段２３０は、操作検出手段２３５と、所定操作判定手段２４０とを備え、コンテンツ作成手段２２０で作成しているコンテンツに対する使用者の操作を監視して、操作に応じて描画可能な画像データを出力するか否かを判定するメインメモリ常駐型のソフトウェアである。
この中で、操作検出手段２３５は、コンテンツ作成手段２２０で作成しているコンテンツに対する使用者の操作を検出する。具体的には、使用者が操作入力手段２１０を介して操作した場合に、制御手段２００に送信されるイベントを示すメッセージを捕捉し、対象とするメッセージか、否かを判定する。ここで、コンテンツに関連したメッセージである場合、このメッセージを所定操作判定手段２４０に転送する。
【００２３】
所定操作判定手段２４０は、操作検出手段２３５から転送されたメッセージを解析して、所定の操作か否かを判定する。ここで、所定の操作は、コンテンツを含むファイルを開いて表示する操作や、コンテンツをファイルに保存する操作等であり、自動印刷の設定ウィンドウ４００（図８）で使用者が設定できる。この自動印刷の設定ウィンドウ４００の機能については、後述する。ここで、メッセージが所定の操作であった場合は、コンテンツの描画データの生成を要求するメッセージを制御手段２００に送る。
画像生成手段２４５は、制御手段２００からの指示に従い、コンテンツの描画データを生成するドライバである。このドライバは、プリンタドライバと略同一の機能を有し、この画像生成手段２４５が生成する描画データ４７０は、図７に示すような構成で出力される。即ち、この描画データ４７０は、印刷ジョブデータと同じ構造であり、データの先頭部の情報ヘッダ４７５と、複数のページで構成され、ページ毎に分離可能な画像データ４９５とで構成される。
情報ヘッダ４７５は、書誌的な情報や各画像データ４９５へのアクセス情報が収納されている。また、画像データ４９５は、プリンタが印刷可能な画像ファイルや、画像表示装置３が展開可能な所定のページ記述言語（Page Description Language：ＰＤＬ）で記述され、描画処理を行う描画コマンド等で構成される。
図３に戻り、送信手段２２５は、制御手段２００からの指示に従い、画像生成手段２４５が生成した描画データ４７０を画像表示装置３にＵＳＢの規格に従い送信する。
【００２４】
次に、画像表示装置３の機能構成を説明する。この画像表示装置３は、制御手段２５５と、受信手段２５０と、記憶性表示手段２７０と、描画イメージ生成手段２８０と、外部記憶手段２６０と、操作入力手段２６５と、情報表示手段２８５とを備える。
制御手段２５５は、ホストコンピュータ２の制御手段２００と同様のＯＳであり、この画像表示装置３の基本動作を制御する。また、この制御手段２５５は、管理している各ソフトウェアから、制御手段２５５に対する要求を示すメッセージを受信すると共に、各ソフトウェアに対して動作を指示するメッセージを送信するイベント駆動形式を採用している。
受信手段２５０は、制御手段２５５からの指示に従い、ホストコンピュータ２から送信される描画データ４７０をＵＳＢの規格に従い受信する。
記憶性表示手段２７０は、本実施形態では記憶性表示体１１５が該当し、制御手段２５５からの指示に従い、画像を表示する。
操作入力手段２６５は、本実施形態では入力キー１４５が該当し、画像表示装置３の使用者が、これらを操作して生成する種々の指示を制御手段２５５に伝える。
描画イメージ生成手段２８０は、制御手段２５５からの指示に従い、描画データ４７０が示す描画イメージを生成し、生成した描画イメージの画像を記憶性表示手段２７０に表示する。尚、描画データ４７０が複数のページで構成されている場合、この描画イメージ生成手段２８０は、操作入力手段２６５からの操作により情報表示手段２８５で表示するページの画像を、紙のページ捲りのように順次捲ることで選択できる機能を備える。
【００２５】
外部記憶手段２６０は、本実施形態ではメディアカード１３５が該当する。この外部記憶手段２６０は、受信した描画データ４７０や、描画イメージ生成手段２８０が生成する描画イメージのデータ等を記憶すると共に、制御手段２５５からの指示に従い、他の機能部との間でこれらのデータの授受を行う。
尚、描画データ４７０は、外部記憶手段２６０にファイル形式で保存され、使用者により明示的に保存される場合（確定ファイル保存）と、一時的に自動保存される場合（一時ファイル保存）とが存在する。前者の場合、描画データ４７０は、所定のデータ容量を越えない限り、使用者の指示に従い所定の領域に保存され、所定のデータ容量を越えた場合は、この外部記憶手段２６０に保存された時刻が古いデータから順次消去する。また、後者の場合、一時的に自動保存できるファイルは、記憶性表示体１１５で表示しているファイルに限定されるので、ホストコンピュータ２から描画データ４７０が送信される度に、自動保存されるファイルは上書きされる。
情報表示手段２８５は、本実施形態ではＬＥＤ１６０が該当し、記憶性表示手段２７０で表示している描画データ４７０は、外部記憶手段２６０に確定ファイル保存されているか、否かを表示する。即ち、一時ファイル保存されている状態では、ＬＥＤ１６０は点灯し、確定ファイル保存の状態では、ＬＥＤ１６０は消灯する。
上記した各機能は、それぞれのＣＰＵ（１０，１００）やＲＡＭ（１５，１０５）等からなるハードウェア資源と、ＲＯＭ（３０，１２５）やＨＤＤ４０等に記憶された種々のソフトウェアとが有機的に協働することにより、前記したそれぞれの機能を実現している。
【００２６】
＜画像表示システムの作用＞
図４は、ホストコンピュータ２の画像出力判定手段２３０における処理の流れを示すフローチャートであり、画像出力判定手段２３０における処理の流れを、自動印刷の設定ウィンドウ４００を示す図８も参照して説明する。
前記したように、それぞれのソフトウェアは、イベント駆動形式であるため、画像出力判定手段２３０の処理が開始されると、操作検出機能が実行され、操作検出手段２３５は、監視対象のパスにおけるイベント発生を待つ（ステップＳ３００）。ここで、監視対象のパスとは、イベントの発生を監視する領域を示す。具体的には、ホストコンピュータ２のＨＤＤ４０内の物理的または論理的なパーティションの中から、イベント発生の監視対象となるパスを、自動印刷の設定ウィンドウ４００のパス入力ボックス４０５に入力して、ＯＫボタン４２５を押下することで指定できる。ここで、サブフォルダも監視するチェックボックス４１０がチェックされている場合、指定したパスのサブフォルダも監視対象になる。
操作検出手段２３５は、監視対象のパスにおけるイベントを検出すると、指定拡張子のファイルに関連したイベントか、否かを判定する（ステップＳ３０５）。ここで、指定拡張子とは、監視対象とするファイルの種類を指定する拡張子である。この拡張子は、自動印刷の設定ウィンドウ４００のファイル拡張子入力ボックス４１５に入力して、ＯＫボタン４２５を押下することで指定できる。このように、前記した監視対象のパスや、監視対象とするファイルの種類を指定することで、監視対象とするコンテンツの属性を規定できる。
【００２７】
ここで、検出したイベントが、指定拡張子のファイルに関連したイベントで無い場合（ステップＳ３０５でＮＯ）、何もしないで終了する。
また、検出したイベントが、指定拡張子のファイルに関連したイベントである場合（ステップＳ３０５でＹＥＳ）、操作判定機能が実行され、所定操作判定手段２４０は、検出したイベントがコンテンツに対して所定の操作を実行したイベントか、否かを判定する（ステップＳ３１０）。ここで、コンテンツに対する所定の操作は、自動印刷の設定ウィンドウ４００の印刷タイミング４４０で設定できる。具体的には、ファイルを開いた時チェックボックス４５０、ファイルを保存した時チェックボックス４５５、および、所定の時間毎チェックボックス４６０の中から選択して、ＯＫボタン４２５を押下することで指定できる。
ここで、検出したイベントが、コンテンツに対して所定の操作を実行したイベントで無い場合（ステップＳ３１０でＮＯ）、何もしないで終了する。
また、検出したイベントが、コンテンツに対して所定の操作を実行したイベントである場合（ステップＳ３１０でＹＥＳ）、描画データ生成機能が実行され、画像生成手段２４５は、最大印刷頁数の指定に従い、コンテンツの描画データを生成する（ステップＳ３１５）。ここで、最大印刷頁数は、自動印刷の設定ウィンドウ４００の最大印刷頁数入力ボックス４２０に入力して、ＯＫボタン４２５を押下することで指定できる。このように上限の印刷頁数を設定することで、描画データを所定の容量以下に収めることができる。尚、本実施形態では、最大印刷頁数を指定したが、描画データのファイルとして容量を指定しても良い。
最後に、出力機能が実行され、送信手段２２５は、描画データを画像表示装置３に送信して（ステップＳ３２０）、処理を終了する。
【００２８】
次に、描画データを受信した画像表示装置３の処理の流れについて、図５を参照して説明する。
前記したように、画像表示装置３のそれぞれのソフトウェアは、イベント駆動形式であるため、受信手段２５０が描画データを受信したことを受けて、外部記憶手段２６０は、受信した描画データを保持する（ステップＳ３５０）。
次に、情報表示手段２８５は、受信した描画データが一時ファイル保存状態であることを表示すべく、ＬＥＤ１６０を点灯する（ステップＳ３５５）。
次に、外部記憶手段２６０は、一時ファイルの記憶領域にデータが記憶されているか、否かを判定する（ステップＳ３６０）。
ここで、既に一時ファイルの記憶領域にデータが記憶されている場合（ステップＳ３６０でＹＥＳ）、外部記憶手段２６０は、受信した描画データを一時ファイルの領域に上書きして（ステップＳ３６５）、次の工程（ステップＳ３７５）に進む。
また、既に一時ファイルの記憶領域にデータが記憶されていない場合（ステップＳ３６０でＮＯ）、外部記憶手段２６０は、受信した描画データを一時ファイルの領域に書き込み（ステップＳ３７０）、次の工程（ステップＳ３７５）に進む。
次に、描画イメージ生成手段２８０は、受信した描画データが示す描画イメージを生成し、記憶性表示手段２７０は、生成した描画イメージを表示し（ステップＳ３７５）、一連の処理を終了する。
【００２９】
次に、画像表示装置３の保存確定ボタン１４５Ｂが操作された場合の処理の流れについて、図６を参照して説明する。
最初に、制御手段２５５は、入力キー１４５から入力されたイベントが発生したことを検知する（ステップＳ３８０）。
次に、制御手段２５５は、保存確定ボタン１４５Ｂが押下されたか、否かを判定する（ステップＳ３８５）。
ここで、保存確定ボタン１４５Ｂは押下されていない場合（ステップＳ３８５でＮＯ）、何もしないで終了する。
また、保存確定ボタン１４５Ｂが押下された場合（ステップＳ３８５でＹＥＳ）、外部記憶手段２６０の一時ファイルの領域に保存されているファイルを、確定ファイル保存する領域に転送して保存する（ステップＳ３９０）。
最後に、描画データが確定ファイル保存されたことを表示すべく、ＬＥＤ１６０を消灯して（ステップＳ３９５）終了する。
【００３０】
以上述べた実施形態によれば、以下のような効果を奏する。
（１）コンテンツの画像は、画像表示装置３の記憶性表示体１１５に表示されるため、画像表示装置３の使用者は、画像表示装置３に表示されたコンテンツを、ホストコンピュータ２との接続や、画像表示装置３への電源供給に依存すること無く、いつでも視認できる。
（２）ホストコンピュータ２上でコンテンツに対して所定の操作を施した場合に、画像表示装置３に送られるコンテンツの属性は、ホストコンピュータ２側の自動印刷の設定ウィンドウ４００で設定できるため、画像表示システム１の使用者は、画像表示装置３に自動的に送信されるコンテンツを限定できる。
以上、本発明を図示した実施形態に基づいて説明したが、本発明は、これらに限定されるものではなく、以下に述べるような変形例も想定できる。
（１）ホストコンピュータ２と、画像表示装置３との接続はＵＳＢに限らず、ＩＥＥＥ１３９４、シリアルポート、パラレルポート等を利用した接続でも良く、Ｅｔｈｒｎｅｔのようなネットワークによる接続でも良い。更に、有線による接続に限定されず、ＩｒＤＡ、Ｂｌｕｅｔｏｏｔｈ（登録商標）、ＺｉｇＢｅｅ、ＩＥＥＥ８０２．１１．ａ／ｂ／ｇ／ｈ、ＵＷＢ（Ultra Wideband）のような無線による接続でも良い。
（２）画像表示装置３の表示手段は、画像を表示面で表示することに限らず、画像を印刷して紙面上に表示しても良い。即ち、画像表示装置３は、プリンタのような形態であっても良い。
【図面の簡単な説明】
【００３１】
【図１】本発明の実施形態に係る画像表示システムの外観を示す外観構成図。
【図２】前記実施形態における画像表示システムのハードウェア構成を示す構成図。
【図３】前記実施形態における画像表示システムの機能構成を示す図。
【図４】前記実施形態におけるホストコンピュータの画像出力判定手段における処理の流れを示すフローチャート。
【図５】前記実施形態における画像表示装置が描画データを受信した際の処理の流れを示すフローチャート。
【図６】前記実施形態における画像表示装置の保存確定ボタンが操作された場合の処理の流れを示すフローチャート。
【図７】前記実施形態における画像生成手段が生成する描画データの構成を示す図。
【図８】前記実施形態における自動印刷の設定ウィンドウを示す図。
【符号の説明】
【００３２】
１…画像表示システム、２…ホストコンピュータ、３…画像表示装置、１０…ＣＰＵ、１５…ＲＡＭ、２０…ディスプレイコントローラ、２５…ディスプレイ、３０…ＲＯＭ、３５…ハードディスクコントローラ、４０…ＨＤＤ、４５…マウスコントローラ、５０…マウス、５５…キーボードコントローラ、６０…キーボード、６５…ＵＳＢコントローラ、６６…ＵＳＢ端子、７０…バス、７５…本体部、８０…ＵＳＢケーブル、１００…ＣＰＵ、１０５…ＲＡＭ、１１０…ディスプレイコントローラ、１１５…記憶性表示体、１２０…ＵＳＢコントローラ、１２２…ＵＳＢ端子、１２５…ＲＯＭ、１３０…カードＩ／Ｆ、１３５…メディアカード、１４０…入力Ｉ／Ｆ、１４５…入力キー、１４５Ａ…方向キー、１４５Ｂ…保存確定ボタン、１５０…バス、１５５…出力Ｉ／Ｆ、１６０…ＬＥＤ、２００…制御手段、２０５…外部記憶手段、２１０…操作入力手段、２１５…表示手段、２２０…コンテンツ作成手段、２２５…送信手段、２３０…画像出力判定手段、２３５…操作検出手段、２４０…所定操作判定手段、２４５…画像生成手段、２５０…受信手段、２５５…制御手段、２６０…外部記憶手段、２６５…操作入力手段、２７０…記憶性表示手段、２８０…描画イメージ生成手段、２８５…情報表示手段、４００…自動印刷の設定ウィンドウ、４０５…パス入力ボックス、４１０…サブフォルダも監視するチェックボックス、４１５…ファイル拡張子入力ボックス、４２０…最大印刷頁数入力ボックス、４２５…ＯＫボタン、４５０…ファイルを開いた時チェックボックス、４５５…ファイルを保存した時チェックボックス、４６０…所定の時間毎チェックボックス、４７０…描画データ、４７５…情報ヘッダ、４９５…画像データ。
【図１】
2006234874.tif 000003
【図２】
2006234874.tif 000004
【図３】
2006234874.tif 000005
【図４】
2006234874.tif 000006
【図５】
2006234874.tif 000007
【図６】
2006234874.tif 000008
【図７】
2006234874.tif 000009
【図８】
2006234874.tif 000010